(57)【要約】      （修正有）【課題】主として歩行が不自由な人の歩行訓練用として使用出来ると共に用便に対しても安定的に使用出来る簡便な歩行訓練及び用便補助のための用具を提供する。【解決手段】用具は、人体５の上方側を保持する小リング体１と、小リング体１に高さ調整手段３を介して連結し地面上にローラ７を介して保持される大リング体２と、大リング体２と小リング体１との間に水平方向に伸延した状態で配置され人体５の尻部５ａを保持し便器６の孔に対応する貫通孔４ａを有し着脱可能に設置される尻保持板４とから構成される。小リング体１は前後方向に沿って２分割に着脱可能に分離するものからなり、大リング体２はその後方側に便器６に干渉しない開口部を形成するものからなる。尻保持板４を取り外すことにより歩行訓練の用具として使用出来、尻保持板４を装着することにより用便を容易にすることが出来る。【選択図】図２
0003186465.tif 000002
【実用新案登録請求の範囲】
【請求項１】
主として自然歩行が不便で、かつ補助具なしで用便が自由に出来ない人のための用具であって、該用具は、人体の上方側を保持する小リング体と、該小リング体に高さ調整手段を介して連結し地面上にローラを介して保持される大リング体と、該大リング体と前記小リング体との間に水平方向に伸延した状態で配置され前記人体の尻部を保持し便器の孔に対応する貫通孔を有し着脱可能に設置される尻保持板とから構成され、前記小リング体は前後方向に沿って２分割に着脱可能に分離するものからなり、前記大リング体はその後方側に前記便器に干渉しない開口部を形成するものからなることを特徴とする歩行訓練及び用便補助のための用具。
【考案の詳細な説明】
【技術分野】
【０００１】  本考案は、寝たきりや自然歩行が不便の人が主として在宅で歩行訓練が出来ると共に用便が必要時には用便補助用の用具としても対応出来る簡便構造で比較的安価に出来る歩行訓練及び用便補助のための用具に関する。
【背景技術】
【０００２】  年を重ねると足，腰が弱くなり、歩行が十分に出来なくなる不具合が発生する。また、介護福祉の専門家のお話によると在宅で寝たきりになると適当な器具がなく、歩行が段々出来なくたる場合が多いとのことです。そのためには取り扱いが簡単で在宅でも簡単に使用出来、安価に購入出来、安全性が高く、狭隘の場所に保管出来、使用時には簡単に使用出来る歩行訓練用の器具が必要である。
また、歩行が不自由の人にとっては用便時には他人の助けを必要とする場合も多く極めて不便である。また、養護老人ホームでは４人部屋が主体であり、食事も排泄もベットの上ですることが主に行われ、基本的に人間の尊厳を保てない問題点がある。
以上の問題点の解決の解決のため従来より歩行訓練用具や補助具等が開発されてはいるが、歩行補助の機能に加えて用便補助の手段を備えている用具は見当らない。なお、歩行訓練具で本考案に比較的類似するものとして「特許文献１」が挙げられる。一方、これからの日本では老人用の医療費が年々約一兆円ほど増加し将来は国民医療費が３７兆円にもなる恐ろしい数字が挙げられている。そのためには寝たきりや歩行自由の人々が増加することを早急に減少させることが必要であり、そのために便利な、かつ安価な用具の開発が大きく期待されている。なお、欧米諸国では「寝たきりゼロ」であり、国によっては寝たきりになると補助器具が発達していて無償で貸与して「寝たきりセロ」を実現しているようです。「寝たきり」は日本だけのようです。
【先行技術文献】
【特許文献】
【０００３】
【特許文献１】特開２００７−２０２８８０号（図１）
【考案の概要】
【考案が解決しようとする課題】
【０００４】  「特許文献１」の「特開２００７−２０２８８０号」の「歩行器」は本考案と全体として似ている構造のものではあるが、用便補助具の如きものを備えているものでなく、また、本考案のような用便補助のための用具を備えることが難しい構造のものからなる。【０００５】  本考案は、以上の問題点を解決するために考案されたものであり、歩行訓練具としても簡便に使用出来ると共に用便補助のための用具としての機能をもつ事の出来る簡便で安価な構造からなる歩行訓練及び用便補助のための用具を提供することを目的とする。
【課題を解決するための手段】
【０００６】  本考案は、以上の目的を達成するために請求項１の考案は、主として自然歩行が不便で、かつ補助具なしで用便が自由に出来ない人のための用具であって、該用具は、人体の上方側を保持する小リング体と、該小リング体に高さ調整手段を介して連結し地面上にローラを介して保持される大リング体と、該大リング体と前記小リング体との間に水平方向に伸延した状態で配置され前記人体の尻部を保持し便器の孔に対応する貫通孔を有し着脱可能に設置される尻保持板とから構成され、前記小リング体は前後方向に沿って２分割に着脱可能に分離するものからなり、前記大リング体はその後方側に前記便器に干渉しない開口部を形成するものからなることを特徴とする。
【考案の効果】
【０００７】  本考案の請求項１の歩行訓練及び用便補助のための用具によれば、小リング体と大リング体とで構成されている用具内に人体を入れることにより歩行訓練が安全で、かつ容易に出来る。また、高さ調整手段があるため身長差があっても適用出来、誰にも使用可能である。更に、用便が必要の場合は用便のための尻保持板を取り付けることにより、この上に座った姿勢で、かつ小リング体に保持された状態で用便が１人で簡単に出来る。なお、大リング体の後方に形成されている開口部により歩行訓練及び用便補助のための用具の全体を既設の便器と合致する位置に容易に配置することが出来る。よって、人体のお尻を尻保持板に乗せることにより安定した姿勢で１人で用便をすることが出来る。また、尻保持板を取り外すことにより歩行訓練の用具として再び用いることが出来る。
【図面の簡単な説明】
【０００８】
【図１】本考案の歩行訓練及び用便補助のための用具の全体構造を示す斜視図。
【図２】図１の側面図と用便時における使用状態を示す説明図。
【考案を実施するための形態】
【０００９】  以下、本考案の歩行訓練及び用便補助のための用具の実施の形態を図面を参照して説明する。
【００１０】  図１は本考案の歩行訓練及び用便補助のための用具１００の全体構造を示すものである。図示のように歩行訓練及び用便補助のための用具１００は大別して小リング体１と大リング体２と、高さ調整歩行３と尻保持板４等とから構成されている。
【００１１】  小リング体１は、前面小リング体１ａと後面小リング体１ｂとからなり、全体としてリング状のものからなるが前面リング体１ａは後面小リング体１ｂに対し連結部材１ｃを介して取り外し可能に連結されている。即ち、歩行訓練の場合には前面小リング体１ａは後面小リング体１ｂに挿入されて全体としてリング状に形成されているが用便補助の場合には前面小リング体１ちを後面小リング体１ｂから取り外し人体５（図２）が入り易くするように分割状態とする。勿論、人体５が後面小リング体１ｂに保持された状態で前面小リング体１ａを再び装着するようにして使用することも出来る。勿論、前面小リング体１ａを取り外したままで用便をしても勿論かまわない。
【００１２】  一方、大リング体２は下方側に配置されるリング体からなり、小リング体１よりも大きなリング体からなり、分割式のものでないが図示のように後方側には開口部２ａが形成される。この開口部２ａは大リング体２を図２に示す便器６側に挿入可能にするためのものであり、便器６に干渉しない広さのものからなる。また、大リング体２はその下面側に複数のローラ７を装着したものからなり、ローラ７は地面側８に当接し歩行訓練及び用便補助のための用具１００を地面側８に沿って円滑に移動出来る機能を果すために配設されたものであり、その形態については転動し易い任意の構造のものからなる。
【００１３】  高さ調整手段３は小リング体１と大リング体２とを連結するものであり小リング体１は高さ調整手段３を介して大リング体２に支持されるものからなる。なお、高さ調整手段３の上端は連結部材１ｃに固定される。
この高さ調整手段３は図示のように小リング体１側に固定されているガイド部材３ａと大リング体２側に固定されている摺動体３ｂとからなり、ガイド部材３ａは摺動体３ｂに摺動可能に挿着されている。これにより小リング体１の高さを調整することが出来る。勿論、止め具９や把持部１０が設けられているがその詳細構造の説明は省略する。
【００１４】  尻保持板４は本実施例では矩形状の板体からなり、例えば木材からなるが勿論その形状や材質は限定するものではなく、人体５の尻部５ａが円滑に当接し得るものであればよい。その中央には貫通孔４ａが形成されている。この貫通孔４ａは便器６の孔（図略）に対応するものである。この尻保持板４は水平方向に伸延した状態で配置され、その後方に立設している支持棒１１により小リング体１の後面小リング体１ｂに着脱可能に垂下支持されている。
【００１５】  次に、本考案の歩行訓練及び用便補助のための用具１００の使用方法を説明する。
【００１６】  まず、歩行訓練の場合について説明する。
この場合については図示されていないが次のようにして使用される。即ち、この場合には尻保持板４は取り外した状態とし人体５は小リング体１と大リング体２に保持された状態で配置される。人体５は高さ調整手段３により高さを調整した後、小リング体１に保持された状態で自力により地面側に沿って移動する。この動作の繰返しにより歩行訓練が簡単に、かつ安全に行われる。
【００１７】  次に、用便の場合の歩行訓練及び用便補助のための用具１００の使用方法を説明する。
この場合は、図１に示すように尻保持板４を装着する。この状態で歩行訓練及び用便補助のための用具１００全体を図２に示すように便器６側に挿入し、尻保持板４の貫通孔４ａと便器６の孔を合致させる。前記のように大リング体２には開口部２ａが形成されているため歩行訓練及び用便補助のための用具１００を便器６側に挿入して位置決めすることは容易に出来る。この場合、小リング体１の前面小リング体１ａは予め取り外ししておくことが必要であり、人体５は図示のように歩行訓練及び用便補助のための用具１００内に入ることが出来、その尻部５ａを尻保持板４に乗せて座ることが出来る。なお、この状態で前面小リング体１ａを後面小リング体１ｂに装着してもよく、取り外したままでも勿論かまわない。
以上のように歩行訓練及び用便補助のための用具１００は用便に対しても容易に適応出来るように形成されており、歩行の不自由の人でも容易に、かつ安全に用便をすることが出来る。
【００１８】  以上のように、本考案の歩行訓練及び用便補助のための用具１００は歩行訓練用及び用便用の双方に使用出来、その取り扱いも容易であり、歩行の不自由の人に便利に、かつ安全に使用されることが出来る。
【００１９】  本考案の歩行訓練及び用便補助のための用具１００は以上の内容のものからなるが、歩行訓練及び用便補助のための用具１００は以上の内容に限定するものではなく、同一技術的範疇のものが適用されることは勿論である。
【産業上の利用可能性】
【００２０】  本考案の歩行訓練及び用便補助のための用具１００は前記のように歩行訓練と用便の出来るものであり、歩行の不自由の人に限定せず、色々の人々に使用可能であり、構造も簡単で安価に購入可能であり、その利用範囲は極めて広い。
【符号の説明】
【００２１】１      小リング体
１ａ    前面小リング体
１ｂ    後面小リング体
１ｃ    連結部材
２      大リング体
２ａ    開口部
３      高さ調整手段
３ａ    ガイド部材
３ｂ    摺動体
４      尻保持板
４ａ    貫通孔
５      人体
５ａ    尻部
６      便器
７      ローラ
８      地面側
９      止め具
１０    把持部
１１    支持棒
１００  歩行訓練及び用便補助のための用具
【図１】
0003186465.tif 000003
【図２】
0003186465.tif 000004